(57)【要約】【課題】性能を改善したＯＦＤＭ用の信号処理回路を提供する。【解決手段】信号処理回路がクリップ生成回路を具えている。クリップ生成回路は、入力信号を受信し、クリッピング閾値を超える入力信号の値のみを含むクリップ信号を決定するように構成されている。この信号処理回路は、クリップ信号にスケーリング係数を適用して、スケーリングされたクリップ信号を発生するように構成されたスケーリング・ブロック、及びスケーリングされたクリップ信号と入力信号との差に基づいて、クリップされた信号を提供するように構成された加算器も具え、上記スケーリング係数は１よりも大きい。【選択図】図５
2017188874.tif 000002
【特許請求の範囲】
【請求項１】
クリップ生成ブロックと、
スケーリング・ブロックと、
加算器とを具えた信号処理回路であって、
前記クリップ生成ブロックは、
入力信号を受信し、
クリッピング閾値を超える前記入力信号の値のみを含むクリップ信号を決定するように構成され、
前記スケーリング・ブロックは、前記クリップ信号にスケーリング係数を適用して、スケーリングされたクリップ信号を発生するように構成され、前記スケーリング係数は１よりも大きく、
前記加算器は、前記スケーリングされたクリップ信号と前記入力信号との差に基づいて、クリップされた信号を提供するように構成されている、信号処理回路。
【請求項２】
前記スケーリング係数が周波数領域のスケーリング係数を含み、該周波数領域のスケーリング係数は、周波数と共に変化する関数を定義する、請求項１に記載の信号処理回路。
【請求項３】
前記周波数領域のスケーリング係数が、ランダムに発生した複数の値を含み、これらの値は最大値と最小値との間の値域に限定される、請求項２に記載の信号処理回路。
【請求項４】
前記スケーリング係数が、時間領域のスケーリング係数を含む、請求項１に記載の信号処理回路。
【請求項５】
前記クリップ信号が、
前記入力信号が前記クリッピング閾値よりも小さい瞬時における０の値と、
前記入力信号が前記クリッピング閾値よりも大きい瞬時における０でない値とを含む、請求項１〜４のいずいれかに記載の信号処理回路。
【請求項６】
前記０でない値が、前記入力信号と前記クリッピング閾値との差で構成される、請求項５に記載の信号処理回路。
【請求項７】
前記スケーリング・ブロックが、前記クリップ信号に前記スケーリング係数を乗算して、前記スケーリングされたクリップ信号を発生するように構成されている、請求項１〜６のいずれかに記載の信号処理回路。
【請求項８】
フィルタをさらに具え、該フィルタは、
(i) 前記スケーリングされたクリップ信号中のあらゆる帯域外項、及び／または、
(ii) 前記スケーリングされたクリップ信号中のあらゆるパイロット・サブキャリアを減衰させて、スケーリングされフィルタ処理されたクリップ信号を提供するように構成され、
前記加算器が、前記スケーリングされフィルタ処理されたクリップ信号と前記入力信号との差に基づいて、前記クリップされた信号を提供するように構成されている、請求項１〜７のいずれかに記載の信号処理回路。
【請求項９】
フィードバック・ブロックをさらに具え、該フィードバック・ブロックは、前記クリップ生成ブロック及び／または前記スケーリング・ブロックにフィードバック・ループを提供し、前記フィードバック・ブロックは、
前記クリップされた信号のＰＡＰＲ値及び／または歪み尺度を測定し、
前記ＰＡＰＲ値及び／または前記歪み尺度に基づいて、前記クリップ生成ブロック及び／または前記スケーリング・ブロックにフィードバック信号を選択的に提供するように構成され、
前記クリップ生成ブロックが、前記フィードバック信号に基づいて、調整されたクリッピング閾値を前記入力信号に適用するように構成され、及び／または、
前記スケーリング・ブロックが、前記フィードバック信号に基づいて、調整されたスケーリング係数を前記クリップ信号に適用するように構成されている、請求項１〜８のいずれかに記載の信号処理回路。
【請求項１０】
前記フィードバック・ブロックが、
前記クリップされた信号のＰＡＰＲ値が目標値に達するまで、
前記クリップされた信号の歪み尺度が目標値に達するまで、あるいは、
前記フィードバックループの所定回数の反復を実行するまで、
異なるクリッピング閾値及び／または異なるスケーリング係数を適用すべく前記フィードバックループの追加的反復を生じさせるように構成されている、請求項９に記載の信号処理回路。
【請求項１１】
前記フィードバック・ブロックが、前記フィードバックループの２回目及びその後の各回の反復について、
前記調整されたクリッピング閾値でクリップされた前記入力信号に基づく、前記クリップされた信号のＰＡＰＲ値、
前記調整されたクリッピング閾値でクリップされた前記入力信号に基づく、前記クリップされた信号の歪み尺度、
前記フィードバックループの以前の反復における前回のクリッピング閾値でクリップされた前記入力信号に基づく、前回のＰＡＰＲ値、及び、
前記フィードバックループの以前の反復における前回のクリッピング閾値でクリップされた前記入力信号に基づく、前回の歪み尺度、
のうちの１つ以上を測定するように構成されている、請求項９または１０に記載の信号処理回路。
【請求項１２】
前記フィードバック・ブロックが、
前記クリップされた信号のＰＡＰＲ値と前記前回のＰＡＰＲ値との差が目標値に低減されるまで、あるいは、
前記クリップされた信号の現在の歪み尺度と前記前回の歪み尺度との差が目標値に低減されるまで、
異なる前記クリッピング閾値を適用し、及び／または、異なる前記スケーリング係数を適用すべく、前記フィードバックループの追加的反復を生じさせるように構成されている、請求項１１に記載の信号処理回路。
【請求項１３】
請求項１〜１２のいずれかに記載の信号処理回路を具えたＯＦＤＭ送信機。
【請求項１４】
入力信号を処理する方法であって、
クリッピング閾値を超える入力信号の値のみを含むクリップ信号を決定するステップと、
前記クリップ信号にスケーリング係数を適用して、スケーリングされたクリップ信号を発生するステップであって、前記スケーリング係数が１よりも大きいステップと、
前記スケーリングされたクリップ信号と前記入力信号との差に基づいて、クリップされた信号を提供するステップと
を含む方法。
【請求項１５】
コンピュータ上で実行されて、該コンピュータに請求項１４に記載の方法を実行させるか、あるいは、該コンピュータを請求項１〜１２のいずれかに記載の信号処理回路として機能させる、コンピュータプログラム。
【発明の詳細な説明】
【技術分野】
【０００１】
本発明は信号処理回路に関するものであり、特に、必然的ではないが、直交周波数分割多重（ＯＦＤＭ：orthogonal frequency division multiplexing）送信機に関するものである。
【発明の概要】
【課題を解決するための手段】
【０００２】
本発明の第１の態様によれば、信号処理回路が提供され、この信号処理回路は：
クリップ生成ブロックと；
スケーリング・ブロックと；
加算器とを具え、
クリップ生成ブロックは：
入力信号を受信し；
クリッピング閾値を超える入力信号の値のみを含むクリップ信号を決定するように構成され、
スケーリング・ブロックは、クリップ信号にスケーリング（拡大縮小）係数を適用して、スケーリングされたクリップ信号を発生するように構成され、スケーリング係数は１よりも大きく、
加算器は、スケーリングされたクリップ信号と入力信号との差に基づいて、クリップされた信号を提供するように構成されている。
【０００３】
こうした信号処理回路は、スケーリング係数を用いなかった場合よりも低いクリッピング閾値を用いることができるので、生じる誤差／歪みをより低くすることができる。また、所定レベルの誤差に対して、スケーリング・ブロックを含まない回路に比べると、低減されたＰＡＰＲ（peak-to-average power ratio：ピーク対平均電力比）を達成することができる。
【０００４】
１つ以上の好適例では、上記スケーリング係数が周波数領域のスケーリング係数を含み、この周波数領域のスケーリング係数は、周波数と共に変化する関数を定義することができる。この周波数領域のスケーリング係数は、ランダムに発生した複数の値を含むことができ、これらの値は最大値と最小値との間の値域に限定することができる。最大値は１よりも大きくすることができる。
【０００５】
上記スケーリング係数は、時間領域のスケーリング係数を含むことができる。
【０００６】
１つ以上の好適例では、上記クリップ信号が：入力信号がクリッピング閾値よりも小さい瞬時における０の値と；入力信号がクリッピング閾値よりも大きい瞬時における０でない値とを含む。０でない値は、入力信号とクリッピング閾値との差で構成することができる。
【０００７】
１つ以上の好適例では、上記スケーリング・ブロックが、上記クリップ信号に上記スケーリング係数を乗算して、上記スケーリングされたクリップ信号を発生するように構成されている。
【０００８】
１つ以上の好適例では、上記信号処理回路がフィルタをさらに具えている。このフィルタは、(i)上記スケーリングされたクリップ信号中のあらゆる帯域外項；及び／または(ii) 上記スケーリングされたクリップ信号中のあらゆるパイロット・サブキャリア（副搬送波）を減衰させて、スケーリングされフィルタ処理されたクリップ信号を提供するように構成することができる。上記加算器は、上記スケーリングされフィルタ処理されたクリップ信号と上記入力信号との差に基づいて、上記クリップされた信号を提供するように構成することができる。
【０００９】
１つ以上の好適例では、上記信号処理回路がフィードバック・ブロックをさらに具え、このフィードバック・ブロックは、上記クリップ生成ブロック及び／または上記スケーリング・ブロックにフィードバック・ループを提供するように構成されている。このフィードバック・ブロックは：
上記クリップされた信号のＰＡＰＲ値及び／または歪み尺度を測定し；これらのＰＡＰＲ値及び／または歪み尺度に基づいて、上記クリップ生成ブロック及び／または上記スケーリング・ブロックにフィードバック信号を選択的に提供するように構成されている。
【００１０】
１つ以上の好適例では、上記クリップ生成ブロックは、上記フィードバック信号に基づいて、調整されたクリッピング閾値を上記入力信号に適用するように構成することができる。上記スケーリング・ブロックは、上記フィードバック信号に基づいて、調整されたスケーリング係数を上記クリップ信号に適用するように構成することができる。
【００１１】
１つ以上の好適例では、上記フィードバック・ブロックが：
上記クリップされた信号のＰＡＰＲ値が目標値に達するまで；
上記クリップされた信号の歪み尺度が目標値に達するまで；あるいは、
上記フィードバックループの所定回数の反復を実行するまで、
異なるクリッピング閾値及び／または異なるスケーリング係数を適用すべく上記フィードバックループの追加的反復を生じさせるように構成されている。
【００１２】
１つ以上の好適例では、上記フィードバック・ブロックが、上記フィードバックループの２回目及びその後の各回の反復について、次のうちの１つ以上を測定するように構成されている：
上記クリップされた信号のＰＡＰＲ値、上記調整されたクリッピング閾値でクリップされた入力信号に基づく；
上記クリップされた信号の歪み尺度、上記調整されたクリッピング閾値でクリップされた入力信号に基づく；
前回のＰＡＰＲ値、上記フィードバックループの以前の反復における前回のクリッピング閾値でクリップされた入力信号に基づく；及び、
前回の歪み尺度、上記フィードバックループの以前の反復における前回のクリッピング閾値でクリップされた入力信号に基づく。
【００１３】
１つ以上の好適例では、上記フィードバック・ブロックが：
上記クリップされた信号のＰＡＰＲ値と前回のＰＡＰＲ値との差が目標値に低減されるまで；あるいは、
現在の歪み尺度と前回の歪み尺度との差が目標値に低減されるまで、
異なるクリッピング閾値を適用し、及び／または、異なるスケーリング係数を適用すべく上記フィードバックループの追加的反復を生じさせるように構成されている。
【００１４】
上記クリップ信号は時間領域の信号を含み、上記信号処理回路が：
上記クリップ信号を周波数領域のクリップ信号に変換するように構成された時間領域−周波数領域の変換ブロックをさらに具え、上記スケーリング係数は周波数領域のスケーリング係数を含む。
【００１５】
上記スケーリングされたクリップ信号は周波数領域の信号を含み、上記信号処理回路が：
上記クリップ信号を時間領域のクリップ信号に変換するように構成された周波数領域−時間領域の変換ブロックをさらに具え、
上記加算器は、時間領域の上記スケーリングされたクリップ信号と上記入力信号の時間領域表現との差に基づいて上記クリップされた信号を提供するように構成されている。
【００１６】
上記スケーリングされたクリップ信号は周波数領域の信号を含み、上記加算器が、(i)上記スケーリングされたクリップ信号と(ii)上記入力信号の周波数領域表現との差に基づいて、上記クリップされた信号を提供するように構成されている。
【００１７】
入力信号を処理する方法を提供することができ、この方法は：
クリッピング閾値を超える入力信号の値のみを含むクリップ信号を決定するステップと；
クリップ信号にスケーリング係数を適用して、スケーリングされたクリップ信号を発生するステップであって、スケーリング係数が１よりも大きいステップと；
スケーリングされたクリップ信号と入力信号との差に基づいて、クリップされた信号を提供するステップとを含む。
【００１８】
本明細書に開示するあらゆる信号処理回路を具えたＯＦＤＭ送信機を提供することができる。
【００１９】
電子機器を提供することができ、この電子機器は、本明細書に開示するあらゆる信号処理回路を具えたＯＦＤＭ送信機を含むことができる。
【００２０】
集積回路を提供することができ、この集積回路は、本明細書に開示するあらゆる信号処理回路、または本明細書に開示するあらゆるＯＦＤＭ送信機を具えている。
【００２１】
コンピュータプログラムを提供することができ、このコンピュータプログラムは、コンピュータ上で実行されると、該コンピュータを、本明細書に開示する回路、送信機、システムまたは装置を含むあらゆる機器として機能させ、あるいは、該コンピュータに、本明細書に開示するあらゆる方法を実行させる。
【００２２】
本発明は、種々の変形及び代案の形式に修正可能であるが、その詳細は、一例として図面中に示され、詳細に説明する。しかし、説明する特定実施形態を越えた他の実施形態も可能であることは明らかである。添付した特許請求の範囲の精神及び範囲内に入るすべての変形、等価物、及び代案の実施形態もカバーされる。
【００２３】
以上の説明は、現在及び将来の特許請求の範囲内のすべての実施形態またはすべての実現を表現することを意図していない。以下に続く図面及び詳細な説明も、種々の実施形態を例示する。種々の実施形態は、添付した図面に関連する以下の詳細な説明を考慮すれば、より完全に理解することができる。
【００２４】
以下、１つ以上の実施形態を、ほんの一例として、添付する図面を参照しながら説明する。
【図面の簡単な説明】
【００２５】
【図１】ＯＦＤＭ送受信システムのブロック図である。
【図２】ＰＡＰＲ値の相補累積分布関数（ＣＣＤＦ）をグラフで示す図である。
【図３】ＯＦＤＭ送信回路を示す図である。
【図４】クリップ・アンド・フィルタ法のブロック図である。
【図５】改良されたクリッピング方法を実行することができる信号処理回路の実施形態を示す図である。
【図６】改良されたクリッピング方法を実行することができる信号処理回路の他の実施形態を示す図である。
【図７】改良されたクリッピング方法を実行することができる信号処理回路のさらに他の実施形態を示す図である。
【図８】種々の回路の性能をグラフで例示する図である。
【図９】種々の回路の性能をグラフで例示する図である。
【発明を実施するための形態】
【００２６】
ＯＦＤＭ（直交周波数分割多重）は、単一キャリア（搬送波）の伝送とは異なり、直交して配置されたキャリア中でデータビットを伝送するデジタル伝送方法である。ＯＦＤＭは、選択的フェージングチャネルの場合の容易かつ高性能な等化、エラー訂正符号と組み合わせた際のスペクトル効率及び全体性能といった重要な利点を有することができる。これらの利点の結果、ＯＦＤＭは、無線通信及びネットワーク形成における多数の工業規格によって選定されてきた。代表例は、セルラ通信用のＬＴＥ（long term evolution）及びＬＴＥ−Ａ（LTE-advanced）規格、無線ローカルエリア・ネットワーク用の８０２．１１ａ／ｇ／ｎ／ａｃ規格、車両ネットワークの新興領域用の８０２．１１ｐ規格、及びＤＶＢ（digital video broadcasting）、ＤＡＢ（digital audio broadcasting）、ＣＭＭＢ（China mobile multimedia broadcasting）、ＤＭＢ−Ｔ（digital multimedia broadcasting-terrestrial），ＩＳＤＢ−Ｔ（integrated services digital broadcasting-terrestrial）、等のような多数のビデオ／音声放送規格である。
【００２７】
図１に、ＯＦＤＭ送受信システムのブロック図を示す。図１は、ＯＦＤＭ送信機１０２、ＯＦＤＭ受信機１０４、及びチャネル１０６を示す。ＯＦＤＭ送信機１０２及びＯＦＤＭ受信機１０４の拡大図も示す。
【００２８】
図１に示すように、ＯＦＤＭ送信機１０２は、受信した情報ビットをいわゆるＯＦＤＭサブキャリア（副搬送波）にマッピングするＩＦＦＴ（inverse fast Fourier transform：逆高速フーリエ変換）ブロック１０８を含む。このようにして、元の情報を周波数領域内で受信することができ、送信されるデータは時間領域内である。ＯＦＤＭ送信機１０２は、ＯＦＤＭ信号を、送信アンテナ１１２により送信する前に増幅する送信パワーアンプ（電力増幅器）１１０も含む。
【００２９】
ＯＦＤＭ受信機１０４の拡大図は、ＯＦＤＭ送信機１０２の逆処理に相当するブロックを示し、チャネル推定及び等化のような逆変換及び検波ステップを含む。
【００３０】
ＯＦＤＭ変調におけるＩＦＦＴにより、ＯＦＤＭ送信機１０２によって送信される時間領域信号は高いピーク対平均電力比（ＰＡＰＲ）を有する。ＰＡＰＲは、最大サブキャリアの電力を全サブキャリアの平均電力で除算した比率として、次式のようにdB単位で定義される：
【数１】
2017188874.tif 000003
【００３１】
理論的には、Ｎ点のＩＦＦＴによって生成されるＯＦＤＭ信号は、（１つのピークしか存在せず、残りの時間領域サブキャリアは０である場合に基づく）１０log10Ｎなる最悪の場合のＰＡＰＲ値を有するが、現実の信号フレームについてのＰＡＰＲはずっと低いことが多い。
【００３２】
図２に、６４点のＯＦＤＭ信号について、ランダムに発生したフレームについてのＰＡＰＲ値の相補累積分布関数（ＣＣＤＦ：complementary cumulative distribute function）をグラフで示す。図２中の点（ｘ，ｙ）は、ｙが、信号のＰＡＰＲ値がｘ(dB)を下回る確率であることを表す。
【００３３】
高いＰＡＰＲが存在する場合、このＰＡＰＲはＯＦＤＭ送信機の設計を複雑にし得る。このことは、ＯＦＤＭ信号全体が送信パワーアンプＰＡの線形領域内であるように、送信パワーアンプの最大出力電力レベルを低減するために、送信パワーアンプが大きなバックオフを必要とし得るからであり得る。このことは全体効率の低下を生じさせ得る。さらに、ＯＦＤＭ送信機内のデジタル−アナログ（Ｄ／Ａ）変換器は、値の大きなダイナミックレンジのために高い精度を必要とし得る。従って、ＰＡＰＲ値が減少するようにＯＦＤＭ送信信号を設計／修正することが有利であり得る。
【００３４】
図３に、ＯＦＤＭ送信回路を示す。図１を参照して既に説明した図３の特徴には、対応する参照番号を３００番台で与える。
【００３５】
図３の回路は、ＰＡＰＲ低減ブロック３１４を含む。以下に説明するように、ＰＡＰＲ低減ブロック３１４は、時間領域のピークが低減され、これによりＰＡＰＲ値が低減されるように、ＯＦＤＭ信号を修正することができる。このことは、ＩＦＦＴブロック３０８による時間領域への変換中または変換後にＯＦＤＭフレームを処理することによって実現することができる。このようにして、送信パワーアンプ３１０に対する要求をある程度緩和することができる。
【００３６】
一般に、ＰＡＰＲ低減ブロック３１４によって適用される技術は標準化することができ、あるいは既存の規格に準拠することができる（下位互換）。標準化する場合、特定の条項を（独自の）規格に含めて、例えばＯＦＤＭフレーム毎に計算することができる値を送信するための特定サブキャリアをフレーム内に確保して、結果的な時間領域信号のＰＡＰＲを減少させることによって、高ＰＡＰＲのＯＦＤＭフレームが生成されることを防止することができる。この場合、受信機は、フレームの確保部分について知っており、これらの確保部分を相応に使用または放棄することができる。下位互換の場合、ＰＡＰＲ低減は、送信機の設計を修正するだけで、あらゆる既存の規格に適用することができる。この場合、受信機は、追加された機能について知らず、従ってフレーム構造は変更することができない。唯一の変更は、送信信号中のサンプル値に施すことができる。これらの変更は、送信信号の歪みを表すので、制限するべきである。特に、こうした変更は、これらの変更が受信の品質に大幅に影響しないレベルを下回るべきである。
【００３７】
受信の品質は、１つ以上の歪み尺度によって表すことができる。歪み尺度の特に有益な例は誤差ベクトルの大きさ（ＥＶＭ：error vector magnitude）である。８０２．１１規格におけるＥＶＭの定義を次式に表す（ErrorRMSは誤差の二乗平均平方根を表す）：
【数２】
2017188874.tif 000004
ここに、
Ｌpはパケットの長さであり；
Ｎfは測定用のフレームの数であり；
(Ｉ0(i,j,k)，Ｑ0(i,j,k))は、ｉ番目のフレーム、このフレームのｊ番目のＯＦＤＭシンボル、このＯＦＤＭシンボルのｋ番目のサブキャリアの、複素平面内の理想的なシンボル点を表し、
(Ｉ(i,j,k)，Ｑ(i,j,k))は、ｉ番目のフレーム、このフレームのｊ番目のＯＦＤＭシンボル、このＯＦＤＭシンボルのｋ番目のサブキャリアの、複素平面内に観測されるシンボル点を表し（図１６〜１８参照）、
Ｐ0は、コンスタレーションの平均電力である。
【００３８】
式に示すように、ＥＶＭは、シンボルの一団にわたって二乗平均平方根（ＲＭＳ：root-mean-square）形式で定義される。
【００３９】
異なる歪み尺度を用いることもできる。例えば、受信機におけるビット／フレーム・エラーレート（誤り率）（ＥＶＭにリンクさせることができる）、あるいは帯域幅の拡張である。しかし、一部の例では、帯域幅の拡張をフィルタ処理（フィルタリング）によって低減／防止することができる。
【００４０】
図４に、図３のＩＦＦＴブロック及びＰＡＰＲ低減ブロックによって実行することができるクリップ・アンド・フィルタ法を実行することができる信号処理回路のブロック図を示す。クリップ・アンド・フィルタ法は、時間領域のＯＦＤＭ信号を意図的に事前に歪ませて特定閾値よりも上に生じるピークを減少させる規格準拠の場合の例である。以下に説明するように、時間領域のＯＦＤＭ信号中の最高のピークをクリップし、次に、クリップされた信号をローパス（低域通過）フィルタ処理して、より低いＰＡＰＲを有する送信ＯＦＤＭ信号を得る。
【００４１】
図４にＩＦＦＴブロック４０８ａを示し、ＩＦＦＴブロック４０８ａは、受信した周波数領域の入力信号（Ｘ(f)）を時間領域の入力信号（ｘ[n]）に変換する。次に、クリップ生成ブロック４１６が、クリップされた信号（ｘclipped[n]）を出力として提供する。
【００４２】
クリップ生成ブロック４１６は、クリッピング閾値／限界（Ｃ）を時間領域の入力信号（ｘ[n]）に適用して、クリップ信号ｘc[n]を次式のように定める：
【数３】
2017188874.tif 000005
ここに、ｘ[n]＝|ｘ[n]|ｅjφnである。
【００４３】
次に、クリップ生成ブロック４１６は、クリップ信号（ｘc[n]）を時間領域の入力信号（ｘ[n]）から減算することによって、クリップされた信号を生成する。このようにして、時間領域の入力信号（ｘ[n]）中のクリッピング閾値（Ｃ）を越えたあらゆるピークが、クリッピング閾値に平準化／制限される。
【００４４】
クリッピング後に、時間領域内または周波数領域内のいずれかでフィルタ処理を適用して、あらゆる帯域外（ＯＯＢ：out-of-band）項を除去または低減することができる。このことは、時間領域内でのクリッピングによる信号の操作が、入力信号がクリップされる前には入力信号の周波数スペクトル外にあった周波数成分の「再生」を生じさせるので、有利である。
【００４５】
図４の例では、周波数領域内で次のようにフィルタ処理を実行する。ＦＦＴブロック４１８は、クリップされた信号（ｘclipped[n]）を周波数領域のクリップされた信号（Ｘclipped(f)）に変換する。ＦＦＴブロック４１８のこの例は、クリップ済ＦＦＴブロックと称することができ、本明細書に記載した他のＦＦＴブロックと同じ機能を有することができる。次に、フィルタ４２０が、周波数領域のクリップされた信号（Ｘclipped(f)）をフィルタ処理して、周波数領域のクリップされフィルタ処理された信号（Ｘclipped,filtered(f)）を提供する。次に、ＩＦＦＴブロック４２２が、周波数領域のクリップされフィルタ処理された信号（Ｘclipped,filtered(f)）を、時間領域に戻った、クリップされフィルタ処理された信号（ｘclipped, filtered[n]）として変換する。ＩＦＦＴブロック４２２のこの例は、クリップ済ＩＦＦＴブロックと称することができ、本明細書に記載した他のＩＦＦＴブロックと同じ機能を有することができる。
【００４６】
次に、クリップされフィルタ処理された信号（ｘclipped,filtered[n]）に、巡回プレフィックス（ＣＰ：cyclic prefix）を、標準的なＯＦＤＭと同じ方法で付加する。従って、図４の回路は、低ＰＡＰＲのＯＦＤＭ信号を送信用に出力する。
【００４７】
図４の処理は、図４中に点線で示すように反復様式で実行することもできる。このようにして、クリップ生成ブロック４１６によって適用されるクリッピング閾値のレベルを、後続する反復毎に変更して、クリップされフィルタ処理された信号（ｘclipped,filtered[n]）のＰＡＰＲ値をさらに改善することができる。例えば、クリッピング閾値（Ｃ）を低減して、追加的な反復がＰＡＰＲ値の大幅な改善を生じさせなくなるまで、クリップされフィルタ処理された信号のＰＡＰＲ値を再計算することができる。
【００４８】
一般に、図４を参照して説明したクリップ・アンド・フィルタ法の適用可能性は制限され得る、というのは、システムがＥＶＭ（誤差ベクトルの大きさ）及び電力マスクのような標準的に課せられる制限に準拠したままであるように、クリップ・アンド・フィルタ法が導入する歪みを十分低く保たなければならないからである。この理由で、クリッピング閾値（Ｃ）は比較的高く保つ必要があり得る。従って、入力信号中のピークは大幅には低減されない。このことにより、図４のクリッピング及びフィルタ処理によって達成されるＰＡＰＲ低減は比較的限定され得る。
【００４９】
本明細書に開示するＦＦＴブロックは、時間領域−周波数領域変換ブロックの例である。本明細書に開示するＩＦＦＴブロックは、周波数領域−時間領域変換ブロックの例である。
【００５０】
図５に、改良されたクリッピング方法を実行することができる信号処理回路の実施形態を示す。この信号処理回路は、ＯＦＤＭ送信機内に含めるのに適しているので、ＯＦＤＭ送信回路と称することもできる。この信号処理回路は、クリップ生成ブロック５３２、スケーリング・ブロック５３４、及び加算器５３６を含む。以下に説明するように、これらのブロックは、図４の回路による場合よりも少ない歪みを生成しつつＰＡＰＲが低減される方法で、入力信号をクリップすることができる。
【００５１】
図５の回路は、随意的なＦＦＴブロック５３８、フィルタ５４０、及びＩＦＦＴブロック５４２を含んで、図４を参照して上述したのと同じ方法で、クリップされた信号から帯域外成分を除去することもできる。ＦＦＴブロック５３８のこの例は、クリップＦＦＴブロックと称することができ、本明細書に記載した他のＦＦＴブロックと同じ機能を有することができる。同様に、ＩＦＦＴブロック５４２のこの例は、クリップＩＦＦＴブロックと称することができ、本明細書に記載した他のＩＦＦＴブロックと同じ機能を有することができる。
【００５２】
この例では、上記回路が周波数領域の入力信号（Ｘ(f)）を受信し、この入力信号はＩＦＦＴブロック５３０によって時間領域の入力信号（ｘ[n]）に変換される。ＩＦＦＴブロック４２２のこの例は、入力ＩＦＦＴブロックと称することができ、本明細書に記載した他のＩＦＦＴブロックと同じ機能を有することができる。
【００５３】
クリップ生成ブロック５３２は、入力信号（ｘ[n]）を受信して、クリッピング閾値（Ｃ）を越える入力信号（ｘ[n]）の値のみを含むクリップ信号（ｘc[n]）を決定する。上述したように、クリップ信号（ｘc[n]）は次式のように定義することができる：
【数４】
2017188874.tif 000006
【００５４】
このようにして、クリップ信号は：入力信号がクリッピング閾値未満である瞬時における０の値；及び入力信号がクリッピング閾値よりも大きい瞬時における０でない値を含み、０でない値の大きさは、入力信号の大きさとクリッピング閾値の大きさとの差で構成される。
【００５５】
スケーリング・ブロック５３４は、クリップ信号（ｘc[n]）にスケーリング係数を適用して、スケーリングされたクリップ信号
（外１）
2017188874.tif 000007
を生成する。この例では、クリップ信号（ｘc[n]）にスケーリング係数を乗じる。スケーリング係数は１よりも大きく、これにより、０でない成分を有するクリップ信号（ｘc[n]）の大きさが増加する。入力信号（ｘ[n]）中でクリッピング閾値（Ｃ）を越える部分に相当する領域では、クリップ信号（ｘc[n]）が０でない成分のみを有することは明らかである。
【００５６】
この例では、スケーリング・ブロック５３４は、時間領域のスケーリング係数を、時間領域内のクリップ信号（ｘc[n]）に適用する。図６及び７を参照して以下に説明するように、スケーリング係数は周波数領域内で適用することもできる。
【００５７】
次に、加算器５３６は、スケーリングされたクリップ信号
（外２）
2017188874.tif 000008
と入力信号（ｘ[n]）との差に基づいて、クリップされた信号（ｘlowPAPR[n]）を提供することができる。この例では、フィルタ５４０を用いてスケーリングされたクリップ信号
（外３）
2017188874.tif 000009
をフィルタ処理すれば、クリップされた信号（ｘlowPAPR[n]）は、スケーリングされたクリップ信号
（外４）
2017188874.tif 000010
に間接的に基づくことができる。同様に、他の例では、加算器５３６が周波数領域の入力信号（Ｘ(f)）を受信すれば、クリップされた信号（ｘlowPAPR[n]）は入力信号（ｘ[n]）に間接的に基づくことができる。それにもかかわらず、加算器５３６は、スケーリングされたクリップ信号
（外５）
2017188874.tif 000011
と入力信号（ｘ[n]）との差に基づいて、クリップされた信号（ｘlowPAPR[n]）を提供すると言うことができる。
【００５８】
所定のＰＡＰＲ低減を達成するために、図５の回路は、図４の回路が必要とするよりも高いクリッピング閾値（Ｃ）を適用することができる。このことは、より少数のピークを操作しているので、より低い誤差／歪み（例えば、より低い誤差ベクトルの大きさ（ＥＶＭ））を生じさせることが有利である。また、図４の回路に比べると、所定レベルの誤差に対して、低減されたＰＡＰＲ値を達成することができる。これらの性能の改善は、図８及び９にグラフで例示し、以下でより詳細に説明する。
【００５９】
図６に、改良されたクリッピング方法を実行することができる信号処理回路の他の実施形態を示す。図５のブロックと同様な図６のブロックには、６００番台の対応する参照番号を与えており、ここでは必ずしも再度説明しない。図６では、クリップ信号のスケーリングは周波数領域内で実行する。
【００６０】
クリップ生成ブロック６３２は、入力信号（ｘ[n]）を受信して、図５の対応するブロックと同じ方法でクリップ信号（ｘc[n]）を決定する。この例では、ＦＦＴブロック６３８が、クリップ信号（ｘc[n]）を周波数領域のクリップ信号（Ｘc(f)）に変換する。ＦＦＴブロック６３８のこの例は、クリップＦＦＴブロックと称することができ、本明細書に記載した他のＦＦＴブロックと同じ機能を有することができる。
【００６１】
次に、スケーリング・ブロック６３４は、周波数領域のスケーリング係数を周波数領域のクリップ信号（Ｘc(f)）に適用して、スケーリングされたクリップ信号
（外６）
2017188874.tif 000012
を生成する。この例では、周波数領域のスケーリング係数をスケーリング信号（Ｓ(f)）と称し、スケーリングされたクリップ信号
（外７）
2017188874.tif 000013
は周波数領域内である。
【００６２】
スケーリング信号（Ｓ(f)）は所定範囲内の値をとることができ、少なくとも一部の、随意的には全部の値が１よりも大きい。このようにして、クリップ信号（ｘc[n]）中のピークはさらにクリップされるが、不要な小さいピークはクリップ信号（ｘc[n]）中に導入されない。このことは、上述したように、より低いクリッピング閾値を用いて同じ性能改善を達成することができることにより、図６のクリップ信号は図４のクリップ信号よりも少数のピークを有するからである。クリップ信号をこのようにスケーリングすることによって、割り当てられた周波数帯域の外側の周波数帯域内の歪み並びに再生を制限することができる。
【００６３】
スケーリング・ブロック６３４は、スケーリングされたクリップ信号
（外８）
2017188874.tif 000014
を次式のように発生する：
【数５】
2017188874.tif 000015
【００６４】
なお、この例では、スケーリング信号（Ｓ(f)）は実数であるのに対し、周波数領域のクリップ信号（Ｘc(f)）及びスケーリングされたクリップ信号
（外９）
2017188874.tif 000016
は複素数の値をとる。
【００６５】
スケーリング信号（Ｓ(f)）中の値は異なる方法で定めることができる。例えば、スケーリング信号（Ｓ(f)）は定数値を含むことができる。定数値を用いる場合、スケーリングは、、図５を参照して上述した時間領域のスケーリングと等価であるものと考えることができる。その代わりに、スケーリング信号（Ｓ(f)）は、ランダムに発生した値を含むことができる。これらのランダム値は、ある範囲の値、例えば最大値と最小値との間に限定することができる。最大値は１よりも大きくすることができ、最小値も１よりも大きくすることができる。ランダム値を用いる場合、特定割合のサブキャリアを他のサブキャリアよりも小さくクリップすることができる。
【００６６】
一例では、８０２．１１ａと同様なベースバンドに基づいて、スケーリング信号（Ｓ(f)）を、１．６〜２の間でランダムに発生する値を含む関数として定義することができる。このことは、ＰＡＰＲ低減について特に良好な結果をもたらすことが判明している。
【００６７】
スケーリング信号（Ｓ(f)）は、周波数と共に変化する関数を定義することもできる。例えば、特定のサブキャリアを他のサブキャリアより大きく保つ要望が存在する場合、あるいは、特定のサブキャリアの重要性がより小さい場合、この関数は、サブキャリアのスケーリングに対して必要な重み付けを与えることができる。例えば、サブキャリアに対する重み付けは、既知または推定のチャネル関数を考慮に入れるために有用であり得る。
【００６８】
次に、スケーリングされたクリップ信号
（外１０）
2017188874.tif 000017
をフィルタ６４０によって処理する。フィルタ６４０は、スケーリングされたクリップ信号
（外１１）
2017188874.tif 000018
中のあらゆる帯域外（ＯＯＢ）項を除去するか減衰させることができる。この例では、フィルタ６４０は周波数領域のフィルタ処理を適用して、スケーリングされフィルタ処理されたクリップ信号
（外１２）
2017188874.tif 000019
を提供する。ＩＦＦＴブロック６４２（クリップＩＦＦＴブロックと称することができる）は、（周波数領域の）スケーリングされフィルタ処理されたクリップ信号
（外１３）
2017188874.tif 000020
を時間領域の信号：時間領域のスケーリングされフィルタ処理されたクリップ信号
（外１４）
2017188874.tif 000021
に変換する。
【００６９】
次に、加算器６３６は、時間領域のスケーリングされフィルタ処理されたクリップ信号
（外１５）
2017188874.tif 000022
を入力信号（ｘ[n]）から減算して、クリップ信号（ｘlowPAPR[n]）を提供する。
【００７０】
一部の通信規格では、ＯＦＤＭ変調がパイロット・サブキャリアの使用を含む。これらのサブキャリアは所定値を有することができ、送信機におけるＯＦＤＭ信号は、所定のサブキャリアにおいてこれらの値を有するべきである。図６の回路を用いて、こうしたパイロット・サブキャリアでＯＦＤＭ信号を処理する場合、フィルタ６４０（あるいは図示しない別個の処理ブロック）は、スケーリングされフィルタ処理されたクリップ信号
（外１６）
2017188874.tif 000023
中のパイロット・サブキャリアを、随意的に項を０に設定することによって減衰させることができる。こうしたパイロット・サブキャリアの減衰は、周波数領域の処理中の最終ステップで実行することができる。即ち、フィルタ６４０によってＯＯＢ項を減衰させるために実行されるフィルタ処理動作後に、かつＩＦＦＴブロック６４２（クリップＩＦＦＴブロック）の直前に実行する。このようにして、元の周波数領域の信号（Ｘ(f)）中のパイロット値は、加算器６３６による最後の減算後には不変のままである。
【００７１】
即ち、フィルタ６４０は、(i)スケーリングされたクリップ信号
（外１７）
2017188874.tif 000024
中のあらゆる帯域外項、及び／または(ii)スケーリングされたクリップ信号
（外１８）
2017188874.tif 000025
中のあらゆるパイロット・サブキャリアを減衰させて、スケーリングされフィルタ処理された信号
（外１９）
2017188874.tif 000026
を提供することができる。こうしたフィルタは、１つ以上のハードウェア処理ブロックによって、あるいは１つ以上のソフトウェア処理モジュールによって提供することができる。本明細書に開示する他の例におけるフィルタによっても同様な機能を提供することができることは明らかである。
【００７２】
図６は随意的なフィードバック・ブロック６４４も示し、フィードバック・ブロック６４４はフィードバックループをクリップ生成ブロック６３２及び／またはスケーリング・ブロック６３４に提供する。フィードバック・ブロック６４４は、クリップされた信号（ｘlowPAPR[n]）のＰＡＰＲ値及び／または歪み尺度を測定することができ、そしてこれらのＰＡＰＲ値及び／または歪み尺度に基づいて、フィードバック信号を、クリップ生成ブロック６３２及び／またはスケーリング・ブロック６３４に選択的に提供することができる。
【００７３】
このフィードバック信号によれば、クリップ生成ブロック６３２は、調整されたクリッピング閾値を入力信号（ｘ[n]）に適用することができ、調整されたクリッピング閾値は前回のクリッピング閾値と異なる。前回のクリッピング閾値は、フィードバックループの以前の反復において、随意的にフィードバックループの直前の反復において適用した閾値レベルである。前回のクリッピング閾値は、フィードバックループの１回目の反復に続く（最初の）クリッピング閾値（Ｃ）である。
【００７４】
同様に、フィードバック信号によれば、スケーリング・ブロック６３４は、調整されたスケーリング係数を周波数領域のクリップ信号（Ｘc(f)）に適用することができ、調整されたスケーリング係数は前回のスケーリング係数と異なる。前回のスケーリング係数は、フィードバックループの以前の反復において、随意的にフィードバックループの直前の反復において適用したスケーリング係数である。
【００７５】
フィードバックループの２回目及び後続する各回の反復については、フィードバック・ブロック６４４は、次のもののうち１つ以上を決定／記憶することができる：
クリップされた信号（ｘlowPAPR[n]）のＰＡＰＲ値、調整されたクリッピング閾値でクリップした入力信号に基づく；
クリップされた信号（ｘlowPAPR[n]）の歪み尺度、調整されたクリッピング閾値でクリップした入力信号に基づく；
前回のＰＡＰＲ値、前回のクリッピング閾値でクリップした入力信号に基づく；及び、
前回の歪み尺度、前回のクリッピング閾値でクリップした入力信号に基づく。
【００７６】
フィードバック・ブロック６４４は、
クリップされた信号（ｘlowPAPR[n]）のＰＡＰＲ値が目標値に達するまで；
クリップされた信号（ｘlowPAPR[n]）の歪み尺度が目標値に達するまで；
フィードバック・ループの所定回数の反復を実行するまで；
クリップされた信号の（調整されたクリッピング閾値でクリップした信号の）ＰＡＰＲ値と、前回の（前回のクリッピング閾値でクリップした信号の）ＰＡＰＲ値との差が目標値に低減されるまで；あるいは、
現在の（調整されたクリッピング閾値でクリップした信号の）歪み尺度と、前回の（前回のクリッピング閾値でクリップした信号の）歪み尺度との差が目標値に低減されるまで、
異なるクリッピング閾値が適用されるように、及び／または、異なるスケーリング係数が適用されるように、フィードバックループの追加的反復を生じさせ続けることができる。
【００７７】
一部の例では、調整されたクリッピング閾値を、前回のクリッピング閾値よりも高くすることができる。この場合、フィードバック・ブロック６４４は：
クリップされた信号（ｘlowPAPR[n]）のＰＡＰＲ値が目標値を超えるまで；あるいは、
クリップされた信号（ｘlowPAPR[n]）の歪み尺度が目標値よりも低くなるまで、
異なるクリッピング閾値を適用することができる。
【００７８】
同様に、一部の例では、調整されたクリッピング閾値を、前回のクリッピング閾値よりも低くすることができる。この場合、フィードバック・ブロック６４４は：
クリップされた信号（ｘlowPAPR[n]）のＰＡＰＲ値が目標値よりも低くなるまで；あるいは、
クリップされた信号（ｘlowPAPR[n]）の歪み尺度が目標値を超えるまで、
異なるクリッピング閾値を適用することができる。
【００７９】
一部の例では、調整されたスケーリング係数を、前回のスケーリング係数よりも高くすることができる。この場合、フィードバック・ブロック６４４は：
クリップされた信号（ｘlowPAPR[n]）のＰＡＰＲ値が目標値よりも低くなるまで；あるいは、
クリップされた信号（ｘlowPAPR[n]）の歪み尺度が目標値を超えるまで、
異なるスケーリング係数を適用することができる。
【００８０】
同様に、調整されたスケーリング係数を、前回のスケーリング係数よりも低くすることができる。この場合、フィードバック・ブロック６４４は：
クリップされた信号（ｘlowPAPR[n]）のＰＡＰＲ値が目標値を超えるまで；あるいは、
クリップされた信号（ｘlowPAPR[n]）の歪み尺度が目標値よりも低くなるまで、
異なるスケーリング係数を適用することができる。
【００８１】
図５及び７の回路は、同様なフィードバック・ブロックを有することができることは明らかである。
【００８２】
図７に、改良されたクリッピング方法を実行することができる信号処理回路の他の実施形態を示す。図６のブロックと同様な図７のブロックには、対応する参照番号を７００番台で与えており、ここでは必ずしも再度説明しない。図７では、加算器７３６が、スケーリングされフィルタ処理されたクリップ信号
（外２０）
2017188874.tif 000027
を入力信号の周波数領域表現（Ｘ(f)）から減算し、そして結果的な信号を、その後の送信のために時間領域に変換する。
【００８３】
図７では、フィルタ７４０が、スケーリングされフィルタ処理されたクリップ信号
（外２１）
2017188874.tif 000028
を加算器７３６に（図６のようにクリップＩＦＦＴブロックを介する代わりに）直接供給する。加算器７３６は、入力信号の周波数領域表現（Ｘ(f)）も受信する。この例では、入力信号の周波数領域表現（Ｘ(f)）を、ＩＦＦＴブロック７３０（入力ＩＦＦＴブロックと称することができる）の入力端子から受信する。この例では、加算器７３６の出力は周波数領域のクリップされた信号（ＸlowPAPR(f)）である。
【００８４】
図７の回路はＩＦＦＴブロック７４３を含み、ＩＦＦＴブロック７４３は、周波数領域のクリップされた信号（ＸlowPAPR(f)）時間領域の信号：即ちクリップされた信号（ｘlowPAPR[n]）に変換する。ＩＦＦＴブロック７４３のこの例は、クリップされたＩＦＦＴブロックと称することができる。
【００８５】
図５〜７のいずれかの回路をＯＦＤＭ送信機内に用いることは、対応するＯＦＤＭ受信機の機能の変更を何ら必要としないことが有利である。
【００８６】
図８及び９に：
図４のクリッピング及びフィルタ処理方法を実行する信号処理回路（スケーリングなし）；
図５〜７のうちの１つのクリッピング及びフィルタ処理方法を実行する信号処理回路（スケーリングあり）；及び、
クリッピング及びフィルタ処理方法を全く実行しない信号処理回路；
の性能をグラフで例示する。
【００８７】
図８は、これらの回路毎のＰＡＰＲ値の相補累積分布関数（ＣＣＤＦ）を、図２のグラフと同様な方法でグラフで示す。
【００８８】
図８では、
−１３．２dBのＥＶＭ値を生じさせるクリッピング閾値を有する図４の回路の性能を、参照番号８５０で示し；
−１３．２dBのＥＶＭ値を生じさせるクリッピング閾値を有する図５〜７のうちの１つの回路（スケーリングあり）の性能を、参照番号８５２で示し；
クリッピング及びフィルタリングなしの回路の性能を、参照番号８５４で示す。
【００８９】
図８は、所定のＥＶＭ値に対して、図５〜７のうちの１つの回路が、図４の回路に比べると、そしてクリッピング及びフィルタ処理のない回路と比べても、より低い改善されたＰＡＰＲ値を提供することを示している。
【００９０】
図９では、縦軸がフレーム／ビット・エラーレート（誤り率）を表し、横軸は、チャネルによってＯＦＤＭ信号に付加されるノイズのレベルを表す。このように、横軸は、ビット当たりのエネルギーとＯＦＤＭ信号に付加されるノイズとの比率をdB単位で表す。さらに、図９では、チャネルがフェージングチャネルであり、ＡＷＧＮ（additive white Gaussian noise：付加ホワイト・ガウスノイズ（白色ガウス雑音））を有するだけのチャネルではない。
【００９１】
図９では、
所定のＰＡＰＲ値を生じさせるクリッピング閾値を有する図４の回路の性能を、参照番号９６０で示し；
同じＰＡＰＲ値を生じさせるクリッピング閾値を有する図５〜７のうちの１つの回路（スケーリングあり）の性能を、参照番号９６２で示し；
クリッピング及びフィルタ処理のない回路の性能を、参照番号９６４で示す。
【００９２】
図９は、所定のＰＡＰＲ値に対して、図５〜７のうちの１つの回路が、図４の回路に比べると、より低い改善されたエラーレートを提供することを示している。また、図５〜７のうちの１つの回路は、クリッピング及びフィルタ処理のない回路と比べると、わずかに悪化したエラーレートを有するに過ぎない。
【００９３】
以下の表は、図５〜７の回路によって実現することができる改善された性能の他の例示を提供する。１０-4のＣＣＤＦにおけるＰＡＰＲ値を、複数の信号処理回路について、送信機におけるＥＶＭ値と共に、異なるクリッピング閾値レベル／係数について示す。
【００９４】
この表では、回路によって適用されるクリッピングの度合いをクリッピング比としてdB単位で示す。クリッピング比は次式のように定義される：
【数６】
2017188874.tif 000029
ここに、Ｃはクリッピング閾値であり、Ｐavgは信号の平均電力である。
【００９５】
【表１】
2017188874.tif 000030
【００９６】
上記の表では：
「低減なし」は、クリッピング及びフィルタ処理による低減を実行しない回路を表す；
「ＣＦ ｘdB」は、クリッピング及びフィルタ処理（ＣＦ：clipping and filtering）をｘdBに設定されたクリッピング比で適用する図４の回路を表し、
「ＳＣＦ ｘdB」は、クリッピング、フィルタ処理、及びスケーリング（ＳＣＦ：scaling, clipping and filtering）をｘdBに設定されたクリッピング比で適用する図５〜７の回路を表す。
【００９７】
この表中のデータは、図５〜７の回路は、図４の回路に比べると、複数のクリッピング比について、同様なＥＶＭ値に対するＰＡＰＲの低減及び所定のＰＡＰＲ値に対するＥＶＭの低減の両方の意味で改善された性能を提供することを示す。
【００９８】
特に、図４の回路（ＣＦ）と図５〜７の回路（ＳＣＦ）との比較は、図５〜７の回路が次の点で優れていることを示す：
・同じＰＡＰＲ低減において、ＳＣＦはＥＶＭが４dB低い。
・ＦＥＲ（frame error rate：フレーム・エラーレート）は、高いＣＲ（clipping ratio：クリッピング比）において大幅な差を示さない。
・低いＣＲ（４．６dBのＰＡＰＲ低減）では、図５〜７の回路は、同じＦＥＲに対して約１．２dBのＳＮＲ（signal-to-noise ratio：Ｓ／Ｎ比、信号対雑音比）の低減を達成している。
・−１３dBのＥＶＭ要求を満たすために、ＣＦは２．９dBまでのＰＡＰＲ低減を達成することができる。
・ＳＣＦは３．８dBのＰＡＰＲ低減を達成することができる。
・ＳＣＦは、ＦＥＲの大幅な増加なしに、４．６dBのＰＡＰＲ低減及び−８．３dBのＥＶＭを達成することができる。
【００９９】
図５〜７の回路は、図４の回路のクリッピング方策の変更であり、同様なＰＡＰＲ低減を達成しつつＥＶＭ値を制限することができることは、以上の説明より明らかである。このようにして、ＰＡＰＲ低減のＥＶＭに対する影響を最小化／低減する方法で、送信される信号をクリップすることができる。
【０１００】
本明細書に開示する回路の１つ以上は、８０２．１１ａ／ｇ／ｎ／ａｃ／ｐ、ＬＴＥ、ＬＴＥ−ＡのようなＯＦＤＭに基づくすべての通信及びネットワーク規格用に、ユーザ端末内に設けることができる。これらの回路／方法は、ＯＦＤＭベースの独自規格にも適用することができる。
【０１０１】
以上の図面中の命令及び／またはフローチャート・ステップは、特定順序を明示的に記載していなくても、任意の順序で実行することができる。また、命令の集合／方法の一例を説明してきたが、本明細書中の題材は、種々の方法で組み合わせて他の例を生み出すことができ、そしてこの詳細な説明によって提供される事項の範囲内であるものと理解すべきことは、当業者の認める所である。
【０１０２】
一部の実施形態では、上述した命令の集合／方法のステップを、一組の実行可能な命令として具体化される機能的なソフトウェア命令として実現し、これらの実行可能な命令は、当該命令でプログラムされ当該命令によって制御されるコンピュータまたはマシン上で実行される。こうした命令は（１つ以上のＣＰＵのような）プロセッサ上での実行用にロードされる。プロセッサとは、マイクロプロセッサ、マイクロコントローラ、プロセッサモジュール、または（１つ以上のマイクロプロセッサまたはマイクロコントローラを含む）サブシステム、あるいは他の制御装置または計算装置を含む。プロセッサは、単一の構成要素または複数の構成要素を称することができる。
【０１０３】
他の例では、本明細書に例示する命令の集合／方法、及びそれに関連するデータ及び命令を、それぞれの記憶装置に記憶し、これらの記憶装置は、１つ以上の非一時的な、マシンまたはコンピュータ可読の、あるいはコンピュータで利用可能な記憶媒体として実現される。こうしたコンピュータ可読またはコンピュータで利用可能な記憶媒体は、品物（または製品）の一部分であるものと考えられる。品物または製品は、製造されたあらゆる単一構成要素または複数の構成要素を称することができる。本明細書に定義する非一時的なマシンまたはコンピュータで利用可能な媒体は、信号は除外するが、こうした媒体は、信号及び／または他の一時的媒体から情報を受信して処理する能力を有し得る。
【０１０４】
本明細書中で説明した実施形態は、全体的にせよ部分的にせよ、ネットワーク、コンピュータ、あるいはデータベース装置及び／またはサービスを通して実現することができる。これらは、クラウド、インターネット、イントラネット、モバイル、デスクトップ、プロセッサ、ルックアップ・テーブル（早見表）、マイクロコントローラ、コンシューマ（消費者向け）製品、インフラストラクチャ（社会基盤）、または他の実現装置及びサービスを含むことができる。本明細書及び特許請求の範囲中に用いることがあるような、以下の非排他的な定義を提供する。
【０１０５】
一例では、本明細書中で説明した１つ以上の命令またはステップを自動化する。自動化または自動的（及びその類語）は、人間の介入、監視、労力、及び／または決定を必要としない、コンピュータ及び／または機械的／電気的装置を用いた、装置、システム、及び／または工程の制御される動作を意味する。
【０１０６】
結合されると称するあらゆる構成要素は、直接的にも間接的にも、結合または接続することができることは明らかである。間接的な結合の場合には、追加的な構成要素を、結合されると称する２つの構成要素間に配置することができる。
【０１０７】
本明細書では、選択した細部の集合の観点から実施形態を提示してきた。しかし、これらの細部を異なるように選択した集合を含む他の実施形態を実施することができることは、当業者の理解する所である。以下の特許請求の範囲は、すべての可能な実施形態をカバーすることを意図している。
【図１】
2017188874.tif 000031
【図２】
2017188874.tif 000032
【図３】
2017188874.tif 000033
【図４】
2017188874.tif 000034
【図５】
2017188874.tif 000035
【図６】
2017188874.tif 000036
【図７】
2017188874.tif 000037
【図８】
2017188874.tif 000038
【図９】
2017188874.tif 000039
【外国語明細書】
2017188874000001.pdf